(57)【要約】【課題】通気性・通水性に富み、土が漏れてしまったり、あるいは、水抜き孔から鉢内部に虫が侵入したりするのを防止することができる量産性に富むプラスチックの植木鉢を提供すること。【解決手段】鉢本体１と、通気/通水性薄板２とを含む。鉢本体１はポリプロピレン樹脂、ポリエステル樹脂、エポキシ樹脂、アクリル樹脂又は繊維強化プラスチック（ＦＲＰ）から選択されたプラスチック成形体でなり、通気/通水性薄板２は、プラスチック材料、ガラス繊維又はそれらの複合材料でなり、鉢本体１の底部１１において、底部１１に対してインサート成形されている。【選択図】図１
0003165724.tif 000002
【実用新案登録請求の範囲】
【請求項１】
鉢本体と、通気/通水性薄板とを含む植木鉢であって、
前記鉢本体は、プラスチック成形体でなり、その底部に、内外に連なる貫通孔を有しており、
前記通気/通水性薄板は、プラスチック材料、ガラス繊維又はそれらの複合材料でなり、通気・通水を担う多数の空孔を有するシート状であって、前記貫通孔の部分に配置され、その全周縁が、前記貫通孔の周囲の前記鉢本体内にインサート成形されている、
植木鉢。
【請求項２】
請求項１に記載された植木鉢であって、前記鉢本体は、ポリプロピレン樹脂、ポリエステル樹脂、エポキシ樹脂、アクリル樹脂又は繊維強化プラスチック（ＦＲＰ）などのプラスチック成形体でなる、植木鉢。
【考案の詳細な説明】
【技術分野】
【０００１】
本考案は、プラスチックでなる植木鉢に関する。
【背景技術】
【０００２】
従来より多用されていた素焼きの植木鉢は、重く、しかも割れ易いという難点があるところから、最近は、そのような欠点を持たないプラスチックの植木鉢が提案され、市場に提供されている。そのようなプラスチックの植木鉢は、例えば、特許文献１に開示されている。
【０００３】
しかし、プラスチックの植木鉢は、通気性・通水性に欠ける。通気性・通水性を確保するため、底部に水抜き孔を開けるなどの手段を講じた場合には、水抜き孔から土が漏れてしまったり、あるいは、水抜き孔から鉢内部に虫が侵入したりする。
【０００４】
そのような不具合を解消する手段として、鉢底部の内面上にメッシュの細かい金属製網体又はプラスチック製網体を置くなどの対策が採られることもある。しかし、網体が鉢底部の内面上に単に載置されているだけなので、植え代え時等に、網体が植木の根やその周りの土に付着し、鉢の外部に持ち出されてしまったり、あるいは、鉢の保管時に紛失してしまったりする。
【０００５】
特許文献２は、プラスチックの植木鉢の底面に水抜き用の孔を開ける技術を開示しているが、完成したプラスチック成形体でなる植木鉢に対して、事後的に、特殊な開孔機を用いて水抜き用の孔を形成しなければならないという煩わしさがあり、量産性に欠ける。水抜き孔の孔径の選択にも、機械加工からくる限界がある。
【先行技術文献】
【特許文献】
【０００６】
【特許文献１】特開平９−１４０２６２号公報
【特許文献２】特開平８−００００９７号公報
【考案の概要】
【考案が解決しようとする課題】
【０００７】
本考案の課題は、通気性・通水性に富むプラスチックの植木鉢を提供することである。
【０００８】
本考案のもう一つの課題は、土が漏れてしまったり、あるいは、水抜き孔から鉢内部に虫が侵入したりするのを防止し得るプラスチックの植木鉢を提供することである。
【０００９】
本考案の更にもう一つの課題は、植え代え時、あるいは、鉢の保管時に、何ら影響を受けることのないプラスチックの植木鉢を提供することである。
【００１０】
本考案の更にもう一つの課題は、量産性に富むプラスチックの植木鉢を提供することである。
【課題を解決するための手段】
【００１１】
上述した課題を解決するため、本考案に係る植木鉢は、鉢本体と、通気/通水性薄板とを含む。前記鉢本体は、プラスチック成形体でなり、その底部に、内外に連なる貫通孔を有している。前記通気/通水性薄板は、プラスチック材料、ガラス繊維又はそれらの複合材料でなり、通気・通水を担う多数の空孔を有するシート状であって、前記貫通孔の部分に配置され、その全周縁が、前記貫通孔の周囲の前記鉢本体内にインサート成形されている。
【００１２】
上述したように、本考案に係る植木鉢は、鉢本体がプラスチック成形体でなるから、従来の素焼きの植木鉢と対比して、軽量であり、耐候性、耐熱性、及び、成形性に優れ、機械的強度の大きな植木鉢を実現することができる。
【００１３】
しかも、本考案に係る植木鉢は、通気/通水性薄板を有している。したがって、通気性・通水性に富むプラスチックの植木鉢を実現することができる。
【００１４】
通気/通水性薄板は、プラスチック成形体でなる鉢本体の底部に対してインサート成形されているから、鉢本体から独立して、土が漏れてしまったり、あるいは、水抜き孔から鉢内部に虫が侵入したりするのを防止し得る特性を有するものを選択し、使用することができる。したがって、土が漏れてしまったり、あるいは、水抜き孔から鉢内部に虫が侵入したりするのを防止しながら、通気性・通水性を確保し得る。
【００１５】
また、通気/通水性薄板が、鉢本体の底部に対してインサート成形されているから、植え代え時等に、通気/通水性薄板が鉢の外部に持ち出されることもないし、鉢の保管時に紛失してしまうこともない。
【００１６】
更に、通気/通水性薄板は、プラスチック成形体でなる鉢本体の底部において、その底部に対してインサート成形されているのであるから、鉢本体の成形時に、同時にインサート成形することにより、鉢本体と一体化しえる。鉢本体の成形後の開孔プロセスは不要である。このため、量産性に優れたものとなる。
しかも、通気性/通水性薄板が、プラスチック材料、ガラス繊維又はそれらの複合材料でなるから、通気性/通水性薄板が、プラスチックでなる鉢本体とともに、プラスチック成形体として一体融合され、耐候性、耐熱性、及び、成形性に優れ、量産性に富み、軽量で、機械的強度の大きな植木鉢が得られる。
【考案の効果】
【００１７】
以上述べたように、本考案によれば、次のような効果を得ることができる。
（ａ）通気性・通水性に富み、軽量であり、耐候性、耐熱性、及び、成形性に優れ、機械的強度の大きな植木鉢を提供することができる。
（ｂ）土が漏れてしまったり、あるいは、水抜き孔から鉢内部に虫が侵入したりするのを防止し得るプラスチックの植木鉢を提供することができる。
（ｃ）植え代え時、あるいは、鉢の保管時に、何ら影響を受けることのないプラスチックの植木鉢を提供することができる。
（ｄ）量産性に富むプラスチックの植木鉢を提供することができる。
【００１８】
本考案の他の目的、構成及び利点については、添付図面を参照し、更に詳しく説明する。添付図面は、単に、例示に過ぎない。
【図面の簡単な説明】
【００１９】
【図１】本考案に係る植木鉢の断面図である。
【図２】本考案にかかる植木鉢の他の形態を示す断面図ある。
【図３】図１又は図２に示した植木鉢の使用形態を示す図ある。
【考案を実施するための形態】
【００２０】
図１を参照すると、本考案に係る植木鉢は、鉢本体１と、通気/通水性薄板２とを含む。鉢本体１はプラスチック成形体でなり、通気/通水性薄板２は、鉢本体１の底部１１において、底部１１に対してインサート成形されている。鉢本体１の内外は、通気／通水性薄板２の持つ通気・通水孔を介して連通する。
【００２１】
鉢本体１は、耐候性、耐熱性、及び、成形性に優れ、機械的強度の大きなプラスチック材料によって構成される。一例を挙げると、ポリプロピレン樹脂、ポリエステル樹脂、エポキシ樹脂、アクリル樹脂又は繊維強化プラスチック（ＦＲＰ）などである。鉢本体１の外形形状、即ち、平面視したときの形状、正面視したときの形状、側面視したときの形状、及び、断面形状等は、図示の形状に限らず、任意に選定できる。例えば、平面視において、円形状、長方形状、楕円形状、多角形状又はそれらの組み合わせによる外形形状であってもよいし、側面視したときに、台形状、角形状であってもよい。図示の鉢本体１は、底部１１の全周に側壁１２を起立させた単純な形状である。底部１１の中央部には、貫通孔１３が設けられている。貫通孔１３は１個であるが、複数設けてもよい。
【００２２】
通気/通水性薄板２は、非金属材料で構成する。この中でも、利用できる非金属材料の例としては、プラスチック材料、ガラス繊維又はそれらの複合材料を挙げることができる。これらの非金属材料を用いて、通気性・通水性のある薄板（シート）を構成する。通気性・通水性は、薄板の面内に高密度で微細孔を穿孔して付与することもできるし、スポンジ、不織布又は多孔性繊維集合体を用いることによっても確保することができる。多孔性繊維集合体とは、繊維を複雑に絡み合わせて通気性・通水性をもたせたものをいう。何れも、通気・通水を担う空孔を多数備える。
【００２３】
この通気/通水性薄板２は、鉢本体１の底部１１において、底部１１に対してインサート成形されている。通気/通水性薄板２は、その空孔を通して鉢本体１の内外を連通させる。図示の実施の形態では、底部１１に空けられた貫通孔１３の周囲に、シート状である通気/通水性薄板２の全周縁をインサート成形し、それによって、通気/通水性薄板２を、鉢本体１と一体化してある。インサート成形は、確立した技術であり、特別に説明しなければならないものではない。基本的には、プラスチック成形体に埋め込む部品を、あらかじめ金型内に設置しておいて、そこに樹脂を射出成形などによって供給し、上記部品と樹脂とを密着させる成形法である。
【００２４】
図１の場合、通気/通水性薄板２は、その表面が、底部１１の表面とほぼ同一の平面を構成するようにインサート成形されているが、図２に図示するように、底部１１の肉厚部内にインサート成形してあってもよい。また、図示は省略するけれども、通気/通水性薄板２は、底部１１の肉厚の範囲において、その複数個を、間隔を隔てて、又は、連続して、インサート成形してもよい。
【００２５】
上述したように、本考案に係る植木鉢は、鉢本体１がプラスチック成形体でなるから、従来の素焼きの植木鉢と対比して、軽量であり、また、割れにくい。
【００２６】
しかも、本考案に係る植木鉢は、通気/通水性薄板２を有している。したがって、通気性・通水性に富むプラスチックの植木鉢を実現することができる。
【００２７】
通気/通水性薄板２は、プラスチック成形体でなる鉢本体１の底部１１に対してインサート成形されているから、鉢本体１から独立して、土が漏れてしまったり、あるいは、水抜き孔から鉢内部に虫が侵入したりするのを防止し得る特性を有する材料を選択し、使用することができる。したがって、土が漏れてしまったり、あるいは、水抜き孔から鉢内部に虫が侵入したりするのを防止しながら、通気性・通水性を確保し得る。
【００２８】
また、通気/通水性薄板２が、鉢本体１の底部１１に対してインサート成形されているから、植え代え時等に、通気/通水性薄板２が鉢の外部に持ち出されることもないし、鉢の保管時に紛失してしまうこともない。
【００２９】
更に、通気/通水性薄板２は、プラスチック成形体でなる鉢本体１の底部１１において、その底部１１に対してインサート成形されているのであるから、鉢本体１の成形時に、同時にインサート成形することにより、鉢本体１と一体化しえる。鉢本体１の成形後の開孔プロセスは不要である。このため、量産性に優れたものとなる。
しかも、通気性/通水性薄板２が、プラスチック材料、ガラス繊維又はそれらの複合材料でなるから、通気性/通水性薄板２が、プラスチックでなる鉢本体１とともに、プラスチック成形体として一体融合され、耐候性、耐熱性、及び、成形性に優れ、量産性に富み、軽量で、機械的強度の大きな植木鉢が得られる。
【００３０】
図１及び図２に図示し実施の形態では、鉢本体１は、底部１１側の下部１０が光学的に透明なプラスチックでなり、その上部２０が光学的に不透明なプラスチックで構成されている。下部１０及び上部２０は、所謂「二色成形」と称される射出成形技術によって、一体化されている。
【００３１】
上述したように、鉢本体１は、底部１１側の下部１０が光学的に透明なプラスチックでなるので、図３に示したように、本考案に係る植木鉢を用いて草木３を植栽した場合、草木３の根３１のある培養土３２に外光が入り、そこが活性化され、草木３の生育を促すことになる。また、根３１の状態や、培養土３２の状態を、外部から目視して、その状態を観察し、対策を講じることができる。反対に、鉢本体１は、その上部２０が光学的に不透明なプラスチックで構成されているので、本来不必要な部分まで、外光が入るのを回避することができる。
【符号の説明】
【００３２】
１                    鉢本体
２                    通気/通水性薄板
【図１】
0003165724.tif 000003
【図２】
0003165724.tif 000004
【図３】
0003165724.tif 000005